(57)【要約】【課題】ジャムの繰り返しを抑制し，読み取り作業を効率よく行うことが可能な画像読取装置およびプログラムを提供すること。【解決手段】複合機１００は，用紙に画像を印刷する画像形成部１０と，原稿の画像を読み取る画像読取部２０とを備えている。画像読取部２０は，スキャナを固定して原稿を自動搬送させて原稿を読み取るＡＤＦ方式と，原稿をフラットベッドガラス上に載置してスキャナを移動させて原稿を読み取るＦＢ方式とが利用可能である。さらに，画像読取部２０は，ジャム等の搬送不良によって自動搬送を停止させた際，搬送再開直後に読み取る原稿を破損原稿に見做し決定する。そして，破損原稿を読み取る際にはＦＢ方式で読み取り，それ以外の原稿を読み取る際にはＡＤＦ方式で読み取る。【選択図】            図１
2010028546.tif 000002
【特許請求の範囲】
【請求項１】
搬送手段により自動搬送された原稿を読み取る第１読取機能と，フラットベッドガラス上に載置された原稿を読み取る第２読取機能とを備えた画像読取装置において，
原稿の画像を読み取る読取手段と，
前記搬送手段による搬送中に搬送不良が生じたことを検知し，原稿の搬送を中止する中止手段と，
読み取り対象の原稿が，破損した原稿（破損原稿）であることを決定する破損原稿決定手段と，
前記中止手段による搬送中止が解除された場合に，前記破損原稿決定手段で破損原稿に決定された原稿の読み取りを前記第２読取機能で行い，それ以外の原稿の読み取りを前記第１読取機能で行う破損原稿モードで動作するように制御する制御手段とを備えることを特徴とする画像読取装置。
【請求項２】
請求項１に記載する画像読取装置において，
前記破損原稿決定手段は，前記中止手段による搬送中止が解除された後に最初に読み取られる原稿を破損原稿に決定することを特徴とする画像読取装置。
【請求項３】
請求項１または請求項２に記載する画像読取装置において，
破損原稿の枚数を取得する枚数取得手段を備え，
前記破損原稿決定手段は，前記中止手段による搬送中止が解除された後に最初に読み取られる原稿から前記枚数取得手段にて取得された枚数分の原稿を破損原稿に決定することを特徴とする画像読取装置。
【請求項４】
請求項１に記載する画像読取装置において，
破損原稿のページ番号を入力する入力手段を備え，
前記破損原稿決定手段は，前記読取手段によって読み取られる原稿のうち，前記入力手段によって入力されたページの原稿を破損原稿に決定することを特徴とする画像読取装置。
【請求項５】
請求項１から請求項４のいずれか１つに記載する画像読取装置において，
前記中止手段による搬送中止が解除された場合に，破損原稿の読み取りを前記第２読取機能によって行うことを報知する報知手段を備えることを特徴とする画像読取装置。
【請求項６】
請求項１から請求項５のいずれか１つに記載する画像読取装置において，
前記中止手段によって搬送が中止された場合に，読み取りが完了している頁数と搬送不良が生じた原稿のページ番号との少なくとも一方を通知する通知手段を備えることを特徴とする画像読取装置。
【請求項７】
請求項６に記載する画像読取装置において，
前記通知手段は，両面読み取りを実行していた場合に，搬送不良の原因となった原稿のどの面を読み取る必要があるのかを通知することを特徴とする画像読取装置。
【請求項８】
請求項１から請求項７のいずれか１つに記載する画像読取装置において，
前記搬送手段によって搬送される原稿のサイズを記憶する記憶手段を備え，
前記破損原稿モードでの前記第２読取機能による読み取りの際に，前記記憶手段に原稿のサイズが記憶されている場合には当該サイズを基に原稿を読み取ることを特徴とする画像読取装置。
【請求項９】
請求項１から請求項８のいずれか１つに記載する画像読取装置において，
前記搬送手段の搬送中止が解除されたことを契機に計時を開始し，ユーザからの継続指示を受け付ける受付手段を備え，
前記制御手段では，前記受付手段が所定時間内に継続指示を受け付ければ，前記破損原稿モードに移行し，前記受付手段が所定時間内に継続指示を受け付けなければ，搬送不良が発生する前に行った読み取り処理を無効にすることを特徴とする画像読取装置。
【請求項１０】
搬送手段により自動搬送された原稿を読み取る第１読取機能と，フラットベッドガラス上に載置された原稿を読み取る第２読取機能とを備えた画像読取装置を，
原稿の画像を読み取る読取手段と，
前記搬送手段による搬送中に搬送不良が生じたことを検知し，原稿の搬送を中止する中止手段と，
読み取り対象の原稿が，破損原稿であることを決定する破損原稿決定手段と，
前記中止手段による搬送中止が解除された場合に，前記破損原稿決定手段で破損原稿に決定された原稿の読み取りを前記第２読取機能で行い，それ以外の原稿の読み取りを前記第１読取機能で行う破損原稿モードで動作するように制御する制御手段として機能させることを特徴とするプログラム。
【発明の詳細な説明】
【技術分野】
【０００１】
本発明は，原稿の画像を読み取る画像読取装置およびプログラムに関する。さらに詳細には，読取手段を固定し原稿を移動させて読み取る機能と，原稿を固定し読取手段を移動させて読み取る機能とを備えた画像読取装置およびプログラムに関するものである。
【背景技術】
【０００２】
従来から，ＡＤＦ（Auto Document Feeder：自動原稿搬送装置）を備えた画像読取装置が実用化されている。ＡＤＦでは，原稿トレイに載置された原稿が１枚ずつ順に原稿読取位置に向けて搬送される。原稿は，ＡＤＦ内を移動し，原稿読取位置でスキャナによって読み取られ，排紙トレイへと搬送される。
【０００３】
ＡＤＦでは，紙詰まり（いわゆるジャム）等の搬送不良によって原稿の搬送を中止することがある。その際，ＡＤＦは，原稿の搬送を中止した後，メッセージ表示等によってジャムが生じたことをユーザに報知する。ジャムが生じた後の処理としては，例えば特許文献１に，読み取った原稿の枚数に応じ，原稿トレイに所定の原稿をセットするように報知する処理が開示されている。
【特許文献１】特開平９−１８６４３号公報
【発明の開示】
【発明が解決しようとする課題】
【０００４】
しかしながら，前記した従来の画像読取装置は，次のような問題があった。すなわち，ジャムが発生した原稿には，紙の折れ曲がりや皺等の破損が生じていることが多い。一方で，従来のＡＤＦでは，原稿の状態に関係なく，破損した原稿（破損原稿）であってもそうでない原稿であっても同じ条件で原稿搬送を行っている。そのため，破損原稿が再度原稿トレイにセットされ，当該原稿が再搬送されることになる。しかし，破損原稿は，通常の原稿と比較してジャムを発生させる可能性が高い。そのため，再度ジャムが発生することがあり，原稿の読み取り作業を終了するまでに時間を要する。また，ジャムが繰り返されることで，原稿の破損状態を悪化させてしまうことも懸念される。また，ジャムの繰り返しを回避するためにすべての原稿をフラットベッドガラス上で読み取ることも考えられるが，原稿が複数枚ある場合には手間がかかり，効率が悪い。
【０００５】
本発明は，前記した従来の画像読取装置が有する問題点を解決するためになされたものである。すなわちその課題とするところは，ジャムの繰り返しを抑制し，読み取り作業を効率よく行うことが可能な画像読取装置およびプログラムを提供することにある。
【課題を解決するための手段】
【０００６】
この課題の解決を目的としてなされた画像読取装置は，搬送手段により自動搬送された原稿を読み取る第１読取機能と，フラットベッドガラス上に載置された原稿を読み取る第２読取機能とを備えた画像読取装置であって，原稿の画像を読み取る読取手段と，搬送手段による搬送中に搬送不良が生じたことを検知し，原稿の搬送を中止する中止手段と，読み取り対象の原稿が，破損した原稿（破損原稿）であることを決定する破損原稿決定手段と，中止手段による搬送中止が解除された場合に，破損原稿決定手段で破損原稿に決定された原稿の読み取りを第２読取機能で行い，それ以外の原稿の読み取りを第１読取機能で行う破損原稿モードで動作するように制御する制御手段とを備えることを特徴としている。
【０００７】
本発明の画像読取装置は，第１読取機能による読み取りと，第２読取機能による読み取りとが可能である。さらに，破損原稿決定手段によって原稿が破損原稿であるか否かを決定する。そして，中止手段による搬送中止が解除された場合に，破損原稿とそれ以外の原稿とで異なる読取機能を選択している。破損原稿決定手段の決定方法としては，所定の条件を満たす原稿（例えば，ＡＤＦ方式による原稿の読み取り中，ジャム等の搬送不良によって原稿の搬送を中止した際，搬送再開直後に読み取る原稿）を自動的に破損原稿に決定してもよいし，ユーザの手動入力によって所望の原稿を破損原稿に決定してもよい。
【０００８】
すなわち，本発明の画像読取装置は，読み取り対象の原稿が破損原稿であるか否かを区別する。そして，搬送手段で搬送不良になった際，破損原稿モードとして，破損原稿であれば第２読取機能で読み取りを行い，破損原稿でなければ第１読取機能で読み取りを行う。これにより，破損原稿の再破損を回避することができる。また，破損原稿以外は第１読取機能で読み取ることから，読み取り作業の手間は少ない。
【０００９】
また，本発明の画像読取装置の破損原稿決定手段は，中止手段による搬送中止が解除された後に最初に読み取られる原稿を破損原稿に決定するとよりよい。すなわち，搬送再開直後の原稿を破損原稿に自動決定することで，破損原稿を決定するための特別な操作が不要となり，操作が簡素化される。
【００１０】
また，本発明の画像読取装置は，破損原稿の枚数を取得する枚数取得手段を備え，破損原稿決定手段は，中止手段による搬送中止が解除された後に最初に読み取られる原稿から枚数取得手段にて取得された枚数分の原稿を破損原稿に決定するとよりよい。すなわち，複数の原稿が破損したとしても，破損原稿の枚数分の適切な画像読み取りを行うことができる。
【００１１】
また，本発明の画像読取装置は，破損原稿のページ番号を入力する入力手段を備え，破損原稿決定手段は，読取手段によって読み取られる原稿のうち，入力手段によって入力されたページの原稿を破損原稿に決定するとよりよい。すなわち，破損原稿のページ番号を取得することで，破損原稿が原稿束の途中に存在したとしても，適切な画像読み取りを行うことができる。
【００１２】
また，本発明の画像読取装置は，中止手段による搬送中止が解除された場合に，破損原稿の読み取りを第２読取機能によって行うことを報知する報知手段を備えるとよりよい。すなわち，報知手段によって破損原稿をフラットベッド上にセットすることを報知することで，ユーザが自発的に破損原稿をフラットベッド上に載置することが期待できる。これにより，確実に破損原稿の再ジャムを回避できる。
【００１３】
また，本発明の画像読取装置は，中止手段によって搬送が中止された場合に，読み取りが完了している頁数と搬送不良が生じた原稿のページ番号との少なくとも一方を通知する通知手段を備えるとよりよい。すなわち，通知手段によって，どの原稿が破損原稿なのか，どのページまでの読み取りが完了しているのかをユーザが把握できる。
【００１４】
また，上記の通知手段は，両面読み取りを実行していた場合に，搬送不良の原因となった原稿のどの面を読み取る必要があるのかを通知するとよりよい。すなわち，両面読み取りで搬送不良が発生した場合に，どちらの面まで読み取りが完了しているかを認識し難い。そこで，通知手段によって通知することで，ユーザが適切な操作を行うことが期待できる。
【００１５】
また，本発明の画像読取装置は，搬送手段によって搬送される原稿のサイズを記憶する記憶手段を備え，破損原稿モードでの第２読取機能による読み取りの際に，記憶手段に原稿のサイズが記憶されている場合には当該サイズを基に原稿を読み取るとよりよい。すなわち，第１読取機能による読み取りの際に原稿サイズを記憶することで，第２読取機能による読み取りの際に第１読取機能で読み取ったサイズと一致させることができる。
【００１６】
また，本発明の画像読取装置は，搬送手段の搬送中止が解除されたことを契機に計時を開始し，ユーザからの継続指示を受け付ける受付手段を備え，制御手段では，受付手段が所定時間内に継続指示を受け付ければ，破損原稿モードに移行し，受付手段が所定時間内に継続指示を受け付けなければ，搬送不良が発生する前に行った読み取り処理を無効にするとよりよい。すなわち，所定時間以上に渡って継続指示がなければ読み取り処理を無効にし，画像読取装置の長時間の専有状態を回避する。これにより，他のユーザが利用可能になり，ユーザの利便性が向上する。
【００１７】
また，本発明は，搬送手段により自動搬送された原稿を読み取る第１読取機能と，フラットベッドガラス上に載置された原稿を読み取る第２読取機能とを備えた画像読取装置を，原稿の画像を読み取る読取手段と，搬送手段による搬送中に搬送不良が生じたことを検知し，原稿の搬送を中止する中止手段と，読み取り対象の原稿が，破損原稿であることを決定する破損原稿決定手段と，中止手段による搬送中止が解除された場合に，破損原稿決定手段で破損原稿に決定された原稿の読み取りを第２読取機能で行い，それ以外の原稿の読み取りを第１読取機能で行う破損原稿モードで動作するように制御する制御手段として機能させることを特徴とするプログラムを含んでいる。
【発明の効果】
【００１８】
本発明によれば，ジャムの繰り返しを抑制し，読み取り作業を効率よく行うことが可能な画像読取装置およびプログラムが実現している。
【発明を実施するための最良の形態】
【００１９】
以下，本発明にかかる画像読取装置を具体化した実施の形態について，添付図面を参照しつつ詳細に説明する。本形態は，スキャナ機能，プリント機能，およびＦＡＸ送受信機能を備えた複合機に本発明を適用したものである。
【００２０】
［複合機の構成］
本形態の複合機１００は，図１に示すように，用紙に画像を印刷する画像形成部１０と，原稿の画像を読み取る画像読取部２０とを備えている。なお，画像形成部１０の画像形成方式は，電子写真方式であっても，インクジェット方式であってもよい。また，カラー画像の形成が可能であっても，モノクロ画像専用であってもよい。
【００２１】
画像読取部２０には，前面側に，各種のボタン（例えば，スタートキー，ストップキー，テンキーの各ボタン）によって構成されるボタン群４１，液晶ディスプレイからなる表示部４０，ＵＳＢインタフェース３７等を備えた操作パネルが設けられている。このボタン群４１や表示部４０により，動作状況の表示やユーザによる操作の入力が可能になっている。
【００２２】
［画像読取部の構成］
画像読取部２０は，図２に示すように，原稿（例えば図２中の原稿Ｓ）の画像の読み取りを行うスキャナ部２１と，原稿の自動搬送を行うＡＤＦ（Auto Document Feeder：自動原稿供給装置，搬送手段の一例）２２とを備えている。ＡＤＦ２２本体は，スキャナ部２１の上面端部に設けられた支持部（不図示）によって回動可能に支持され，スキャナ部２１の上面を覆うカバー部材を兼ねる。スキャナ部２１は，その上面に位置する２枚の透明なプラテンガラス２３，２４と，その内部に位置するイメージセンサ２５（読取手段の一例）とを備えている。
【００２３】
ＡＤＦ２２は，読み取り前の原稿を載置する原稿トレイ２２１と，読み取り後の原稿を載置する排出トレイ２２２とを備えている。具体的に，原稿トレイ２２１は，排出トレイ２２２の上方に配設されている。また，ＡＤＦ２２の内部には，原稿トレイ２２１と排出トレイ２２２とを連結する搬送路２２３が設けられている。ＡＤＦ２２は，原稿トレイ２２１に載置された原稿を１枚ずつ取り出し，その原稿をプラテンガラス２３（以下，「ＡＤＦガラス２３」とする）に対向する位置に搬送する。その後，その原稿を排出トレイ２２２上に排出する。
【００２４】
原稿の読取方式としては，フラットベッド（原稿固定走査）方式（第２読取機能の一例）と，ＡＤＦ（原稿移動走査）方式（第１読取機能の一例）とがある。フラットベッド方式の場合，原稿を１枚ずつプラテンガラス２４（以下，「ＦＢガラス２４」とする）上に載置する。その状態で，イメージセンサ２５が副走査方向（主走査方向に直交方向，図２の矢印Ａ方向）に移動し，その際に主走査方向に１ラインずつ原稿の画像が読み取られる。一方，ＡＤＦ方式の場合，原稿を纏めて原稿トレイ２２１に載置する。そして，イメージセンサ２５がＡＤＦガラス２３に対向する位置に移動し，固定される。その状態で，原稿がＡＤＦガラス２３に対向する位置に搬送され，その際に主走査方向に１ラインずつ原稿の画像が読み取られる。
【００２５】
また，ＡＤＦ２２は，原稿の搬入口の周辺に位置し，搬入口に存在する原稿を検出する原稿センサ２８と，ＡＤＦ２２を回動させる支持部（不図示）に隣接し，ＡＤＦ２２の開放状態を検出する開閉センサ２９とを備えている。原稿センサ２８は，原稿トレイ２２１に原稿が載置されているか否かの判断に供する。開閉センサ２９は，ＡＤＦ２２がＦＢガラス２４をカバーしているか否かの判断に供する。
【００２６】
［複合機の電気的構成］
続いて，複合機１００の電気的構成について説明する。複合機１００は，図３に示すように，ＣＰＵ３１と，ＲＯＭ３２と，ＲＡＭ３３と，ＮＶＲＡＭ３４と，ＡＳＩＣ３５と，ネットワークインタフェース３６と，ＵＳＢインタフェース３７と，ＦＡＸインタフェース３８とを備えた制御装置３０を有している。
【００２７】
ＲＯＭ３２には，複合機１００を制御するための各種制御プログラムや画像処理プログラム，各種設定，初期値等が記憶されている。ＲＡＭ３３は，各種制御プログラムが読み出される作業領域として，あるいは画像データを一時的に記憶する記憶領域として利用される。
【００２８】
ＡＳＩＣ３５は，画像形成部１０，画像読取部２０，表示部４０，ボタン群４１等と電気的に接続されている。例えば，ＡＳＩＣ３５は，画像読取部２０から画像データの信号を取得する。また，画像形成部１０へ所望の画像を作成するための信号を出力する。また，ボタン群４１に入力される各種ボタンの信号を受け付ける。また，表示部４０に表示する内容の信号を出力する。
【００２９】
ＣＰＵ３１は，ＲＯＭ３２から読み出した制御プログラムに従って，その処理結果をＲＡＭ３３またはＮＶＲＡＭ３４に記憶させながら，ＡＳＩＣ３５を介して複合機１００の各構成要素を制御する。また，ＣＰＵ３１は，ＲＯＭ３２から読み出した画像処理プログラムに従って，画像読取部２０から得られる画像データに画像処理を施す。
【００３０】
ネットワークインタフェース３６には，情報機器が接続され，このネットワークインタフェース３６を介して相互のデータ通信が可能になっている。また，ＦＡＸインタフェース３８は，電話回線に接続され，このＦＡＸインタフェース３８を介して外部のＦＡＸ装置等とデータ通信が可能になっている。
【００３１】
［複合機のスキャン処理］
続いて，複写機１００にてコピー動作を行う際の，原稿の画像を読み取るスキャン処理の手順について，３つの形態を説明する。
【００３２】
［第１の形態］
第１の形態のスキャン処理（中止手段，破損原稿決定手段，制御手段，枚数取得手段，報知手段，通知手段，記憶手段の一例）について，図４，図５および図６のフローチャートを参照しつつ説明する。
【００３３】
まず，コピー部数，画質，倍率，給紙トレイ，各種のモードの設定等の入力を受け付ける（Ｓ１０１）。表示部４０には，例えば図７に示すように，各種の設定内容を表示し，ボタン群４１を操作することによって各種設定の入力を受け付ける。そして，コピー開始のトリガであるスタートキーの入力を受け付ける（Ｓ１０２）。ユーザは，スタートキーの入力までに，原稿を，ＡＤＦ方式を利用する場合にはＡＤＦ２２の原稿トレイ２２１にセットし，フラットベッド方式を利用する場合にはＦＢガラス２４上にセットする。
【００３４】
次に，ＡＤＦ２２の原稿トレイ２２１に原稿があるか否かを判断する（Ｓ１０３）。すなわち，ＡＤＦ方式を利用するか否かを判断する。原稿の有無の判断は，原稿センサ２８からの信号を基に判断できる。ＡＤＦ２２に原稿がない場合（Ｓ１０３：ＮＯ），すなわちフラットベッド方式を利用する場合には，イメージセンサ２５が移動し，原稿を読み取る（Ｓ１４１）。読み取り後は，本処理を終了する。
【００３５】
ＡＤＦ２２に原稿がある場合（Ｓ１０３：ＹＥＳ），すなわちＡＤＦ方式を利用する場合には，ＡＤＦ２２による原稿の自動搬送を開始する（Ｓ１０４）。そして，１枚ずつ自動搬送される原稿をイメージセンサ２５によって読み取る（Ｓ１０５）。具体的には，スタートキーの押下を契機にイメージセンサ２５がＡＤＦガラス２３の直下の位置に移動して固定される。その後，原稿が１枚ずつ搬送路２２３内に搬送され，ＡＤＦガラス２３上を通過する際にイメージセンサ２５によってその原稿の画像が読み取られる。さらに，読み取られた画像データには，画像処理が適宜行われる。また，読み取った原稿の原稿サイズを，例えばＲＡＭ３３に記憶する（Ｓ１０６）。なお，原稿の正常読み取り中は，例えば図８に示すように，コピー動作中（あるいはスキャン動作中）であることを表示部４０に表示する。
【００３６】
次に，搬送中の原稿にジャムが発生したか否かを判断する（Ｓ１０７）。すなわち，ジャムが検知されているか否かを判断する。ジャムが発生していなければ（Ｓ１０７：ＮＯ），次の原稿があるか否かを判断する（Ｓ１５１）。原稿の有無は，原稿センサ２８からの信号を基に判断する。次の原稿があれば（Ｓ１５１：ＹＥＳ），Ｓ１０５の処理に戻ってその原稿の画像を読み取る。次の原稿がなければ（Ｓ１５１：ＮＯ），本処理を終了する。
【００３７】
一方，ジャムが発生した場合には（Ｓ１０７：ＹＥＳ），原稿の自動搬送を中止し，ジャムが発生したことをユーザに通知する（Ｓ１０８）。例えば図９に示すように，表示部４０にジャムが発生した旨を表示する。その他，音声メッセージや警告音によって通知してもよい。
【００３８】
次に，ユーザによってストップキーが押下されるまで待機する（Ｓ１０９）。ユーザは，ジャムの原因となった原稿（以下，「ジャム原稿」とする）を取り除き，ストップキーを押下する。ストップキーの押下を検知すると（Ｓ１０９：ＹＥＳ），原稿の初期化搬送を行う（Ｓ１１０）。具体的に初期化搬送では，ＡＤＦ２２内に取り残された，読み取り前の原稿を排出トレイ２２２に排紙する。
【００３９】
次に，図５のフローチャートに移行し，ユーザに対して原稿の読み取り再開の是非を問い合わせる（Ｓ１１１）。例えば図１０に示すようなメッセージを表示部４０に表示し，スタートキーをジョブの続行のトリガとし，ストップキーをジョブの中止のトリガとする。そして，スタートキーの押下（Ｓ１１２）あるいはストップキーの押下（Ｓ１５３）があるまで待機する。
【００４０】
そして，ストップキーが押下された場合には（Ｓ１５３：ＹＥＳ），本処理を終了し，コピー動作をキャンセルする。すなわち，ジャム発生前に読み取った画像データをメモリから消去する。これにより，スキャン処理を始めからやり直すことができる。一方，スタートキーが押下された場合には（Ｓ１１２：ＹＥＳ），破損原稿モードに移行し，原稿の読み取り動作を再開する。具体的には，Ｓ１１３の処理に移行して原稿の読み取りを再開する。
【００４１】
原稿の読み取りを再開すると，まず，ジャム原稿の枚数をユーザに問い合わせる（Ｓ１１３）。すなわち，１回のジャムで破損する原稿は１枚とは限らない。そこで，破損した原稿の枚数を設定する。例えば図１１に示すようなメッセージを表示部４０に表示し，ボタン群４１のテンキーによる枚数の入力を受け付ける（Ｓ１１４）。
【００４２】
次に，ジャム原稿を読み取るソースをユーザに問い合わせる（Ｓ１１５）。すなわち，ジャム原稿を，ＡＤＦ方式で読み取るのかフラットベッド（ＦＢ）方式で読み取るのかを選択する。ジャム原稿であっても原稿の破損が少なく用紙の状態が良好であれば，ＡＤＦ方式の方が効率よく原稿を読み取ることができる。そこで，ユーザにジャム原稿を読み取るソースを選択させる。例えば図１２に示すようなメッセージを表示部４０に表示し，ボタン群４１の「▲」ボタンや「▼」ボタンによる選択およびスタートキーによる確定を受け付ける（Ｓ１１６）。ジャム原稿の枚数設定（Ｓ１１３からＳ１１４）とジャム原稿の読み取りソース選択（Ｓ１１５からＳ１１６）は，どちらが先であってもよい。
【００４３】
また，ソース選択画面では，図１２に示したように，原稿が破損している場合にはフラットベッド方式を選択するように表示する。すなわち，ジャム原稿が破損していると，ジャムを再発させる可能性が高い。そこで，破損したジャム原稿をフラットベッド方式で読み取ることを推奨するメッセージを表示する。これにより，ユーザによる自発的なＦＢの選択が促される。
【００４４】
次に，ＦＢが選択されたか否かを判断する（Ｓ１１７）。ＦＢが選択された場合には（Ｓ１１７：ＹＥＳ），図６のフローチャートのＳ１１８の処理に移行し，ＦＢ方式での読み取りを行う。本スキャン処理では，ＦＢが選択された場合に，搬送再開直後に読み取られる原稿を破損原稿にみなし決定する。すなわち，破損原稿を決定するための特別な操作は不要である。一方，ＦＢが選択されていない場合には（Ｓ１１７：ＮＯ），ＦＢ方式での読み取り処理をバイパスし，図６のフローチャートのＳ１２１の処理に移行し，ＡＤＦ方式での読み取りを行う。
【００４５】
具体的に，ＦＢ方式での読み取りでは，まず，ＦＢカバー（本形態ではＡＤＦ２２本体）が開放されたことがあるか否かを判断する（Ｓ１１８）。すなわち，ＦＢカバーが開放されたことがあれば，ＦＢガラス２４に原稿がセットされたと判断する。ＦＢカバーの開放は，開閉センサ２９からの信号によって判断し，開放が検知された際に開放フラグをセットする。この開放フラグの値によってＦＢカバーが開放されたことがあるか否かを判断する。ＦＢカバーが開放されていなければ（Ｓ１１８：ＮＯ），開放されるまで待機する。
【００４６】
ＦＢカバーが開放されたことがある場合には（Ｓ１１８：ＹＥＳ），ＦＢカバーが閉鎖したことを検知した後，ＦＢガラス２４上に載置されたジャム原稿をイメージセンサ２５によって読み取る（Ｓ１１９）。読み取りの際，ＦＢガラス２４上の読み取り範囲を示す原稿サイズは，ジャムが発生する前にＡＤＦで読み取った原稿サイズが記憶（図４のＳ１０６）されていれば，そのサイズと同じとする。これにより，ジャム原稿について，ＡＤＦでの読み取り時とＦＢでの読み取り時とで原稿サイズが一致する。読み取り後は，ＦＢカバーの開放フラグをリセットする。
【００４７】
次に，Ｓ１１３の処理で指定されたジャム原稿の枚数分の読み取りが終了したか否かを判断する（Ｓ１２０）。指定枚数分の読み取りが終了していない場合には（Ｓ１２０：ＮＯ），次の原稿をＦＢガラス２４上にセットする旨の指示を表示する（Ｓ１６１）。例えば図１３に示すようなメッセージを表示部４０に表示し，スタートキーを再開のトリガとする。そして，スタートキーが押下（Ｓ１６２）されるまで待機する。そして，スタートキーが押下された場合には（Ｓ１６２：ＹＥＳ），Ｓ１１８の処理に戻り，ＦＢカバーの開放を判断した後にＦＢ方式で読み取る。
【００４８】
一方，指定枚数分の読み取りが終了した場合には（Ｓ１２０：ＹＥＳ），Ｓ１２１の処理に移行し，引き続きＡＤＦ方式での原稿の読み取りを行う。具体的に，ＡＤＦ方式での読み取りでは，まず，次の原稿があるか否かを判断する（Ｓ１２１）。すなわち，原稿トレイ２２１に原稿が残っているか否かを判断する。次の原稿がなければ（Ｓ１２１：ＮＯ），本処理を終了する。次の原稿があれば（Ｓ１２１：ＹＥＳ），その原稿の画像を読み取る（Ｓ１２２）。そして，搬送中の原稿にジャムが発生したか否かを判断する（Ｓ１２３）。ジャムが発生していなければ（Ｓ１２３：ＮＯ），Ｓ１２１の処理に戻り，残りの原稿のスキャン処理を繰り返す。ジャムが発生していれば（Ｓ１２３：ＹＥＳ），Ｓ１０８の処理（図４参照）に戻り，ジャム発生時の処理を繰り返す。
【００４９】
上述したスキャン処理の終了後は，読み取った画像データあるいは画像処理後の画像データを基に用紙等に画像を形成する画像形成処理に移行する。なお，画像形成処理については，従来と同様の処理であるため説明を省略する。
【００５０】
［第２の形態］
続いて，第２の形態のスキャン処理（通知手段の一例）について，図１４および図１５のフローチャートを参照しつつ説明する。第２の形態では，両面スキャンを行った際のスキャン処理について説明する。なお，フローチャート中，第１の形態と同じ処理については同じ番号が付してある。また，本形態は，第１の形態と比較して，開始からＳ１１２の読み取り再開指示の受け付けまでは同じであり，説明を省略する。
【００５１】
第２の形態では，図１４に示すように，破損原稿モードとして原稿の読み取りを再開すると，ジャムが発生するまでに読み取った原稿の枚数を表示する（Ｓ２１３）。このとき，表面の読み取りが完了しているか否かが明確になるように表示する。例えば図１６に示すようなメッセージを表示部４０に表示する。
【００５２】
次に，ジャム原稿を読み取るソースをユーザに問い合わせ（Ｓ１１５），ソースの選択を受け付ける（Ｓ１１６）。次に，ＦＢが選択されたか否かを判断する（Ｓ１１７）。ＦＢが選択された場合には（Ｓ１１７：ＹＥＳ），図１５のフローチャートのＳ１１８の処理に移行し，ＦＢ方式での読み取りを行う。一方，ＦＢが選択されていない場合には（Ｓ１１７：ＮＯ），ＦＢ方式での読み取り処理をバイパスし，図１５のフローチャートのＳ１２１の処理に移行し，ＡＤＦ方式での読み取りを行う。
【００５３】
具体的に，ＦＢ方式での読み取りでは，まず，ＦＢカバーが開放されたことがあるか否かを判断する（Ｓ１１８）。ＦＢカバーが開放されていなければ（Ｓ１１８：ＮＯ），開放されるまで待機する。ＦＢカバーが開放されたことがある場合には（Ｓ１１８：ＹＥＳ），ＦＢカバーが閉鎖したことを検知した後，ＦＢガラス２４上に載置されたジャム原稿をイメージセンサ２５によって読み取る（Ｓ１１９）。
【００５４】
次に，ＦＢ方式で読み取る必要がある原稿があるか否かを問い合わせる（Ｓ２２０）。例えば図１７に示すようなメッセージを表示部４０に表示し，スタートキーを原稿有りのトリガとし，ストップキーを原稿無しのトリガとする。すなわち，両面スキャンでは，表面の読み取りが完了していない場合に，表面の読み取りと裏面の読み取りとの２回の読み取りが必要となる。一方，表面の読み取りが完了している場合には，裏面の読み取りだけで済む。そこで，ユーザにＦＢでの読み取りを繰り返すか否かを問い合わせる。これにより，両面スキャンにおいて，表裏いずれの面でジャムが発生したとしても適切な面の読み取りから再開できる。
【００５５】
原稿有りと指示された場合（Ｓ２２１：ＹＥＳ），次の原稿をセットする旨の指示を表示する（Ｓ１６１）。そして，スタートキーが押下（Ｓ１６２）されるまで待機する。そして，スタートキーが押下された場合には（Ｓ１６２：ＹＥＳ），Ｓ１１８の処理に戻り，ＦＢカバーの開放を判断した後にＦＢ方式で読み取る。例えば，両面原稿の表裏いずれの面とも読み取れていなかった場合は，表面を読み取った後に，Ｓ２２０の処理による問い合わせがある。そこで，ユーザが原稿有りを指示した後に，ＦＢガラス２４上の原稿を裏返し，裏面を読み取らせることができる。
【００５６】
一方，原稿無しと指示された場合には（Ｓ２２１：ＮＯ），Ｓ１２１の処理に移行し，引き続きＡＤＦ方式での読み取りを行う。例えば，原稿の裏面のみを読み取る必要があった場合には，Ｓ１１９の処理において，裏面を読み取った後，Ｓ２２０の処理による問い合わせに対して，ユーザが原稿無しを指示する。これにより，次の原稿はＡＤＦ２２から読み取られる。Ｓ１２１以降のＡＤＦ方式での読み取り手順は，第１の形態と同様であり，説明を省略する。
【００５７】
［第３の形態］
続いて，第３の形態のスキャン処理（入力手段，受付手段の一例）について，図１８および図１９のフローチャートを参照しつつ説明する。第３の形態では，ジャム発生時にそれまで読み取った原稿のデータを消去し，再開時には最初からすべての原稿を読み直すスキャン処理について説明する。なお，フローチャート中，第１の形態と同じ処理については同じ番号が付してある。また，本形態は，第１の形態と比較して，開始からＳ１１０の初期化搬送までは同じであり，説明を省略する。
【００５８】
第３の形態では，初期化搬送後，図１８に示すように，ジャム原稿を読み取るソースをユーザに問い合わせる（Ｓ１１５）。そして，ソース選択画面の表示開始から３分が経過したか否かを判断する（Ｓ３１１）。すなわち，スキャン処理の読み取り再開指示の受け付け前にユーザが複合機１００から離れてしまった場合，読み取りが再開されない。その状況では，次のユーザが複合機１００を利用できないことになる。そこで，所定のタイムアウト期間（本形態では３分）を設定する。そして，搬送中止が解除されたことを契機に計時を開始し，タイムアウト期間である３分が経過していた場合には（Ｓ３１１：ＹＥＳ），強制的に本処理を終了する。これにより，１人のユーザによる長期間の専有を回避する。
【００５９】
３分が経過していなければ（Ｓ３１１：ＮＯ），ソースが選択されたか否かを判断する（Ｓ３１２）。すなわち，読み取りソースを選択し，スタートキーが押下されたか否かを判断する。ソースが選択されていなければ（Ｓ３１２：ＮＯ），Ｓ３１１の処理に戻り，ソースが選択されるまであるいはタイムアウトになるまで待機する。ソースが選択されていれば（Ｓ３１２：ＹＥＳ），Ｓ１１７以降の破損原稿モードに移行する。
【００６０】
破損原稿モードでは，まず，ＦＢが選択されたか否かを判断する（Ｓ１１７）。ＦＢが選択された場合には（Ｓ１１７：ＹＥＳ），Ｓ３１４の処理に移行し，ＦＢ方式での読み取りを行う。一方，ＦＢが選択されていない場合には（Ｓ１１７：ＮＯ），ＦＢ方式での読み取り処理をバイパスし，図１９のフローチャートのＳ１２１の処理に移行し，ＡＤＦ方式での読み取りを行う。
【００６１】
ＦＢ方式での読み取りでは，まず，ジャム原稿のページ番号を問い合わせる（Ｓ３１４）。本形態のスキャン処理では，搬送再開直後に読み取られる原稿を破損原稿にみなし決定する先の形態とは異なり，ユーザによって入力されたページ番号の原稿を破損原稿に決定する。例えば図２０に示すようなメッセージを表示部４０に表示し，ジャム原稿のページ番号の入力を促す。そして，ページ番号の入力を受け付ける（Ｓ３１５）。ページ番号の入力は，１つだけであってもよいし，カンマ等で区切って複数の番号を入力してもよい。入力された番号は，ＦＢ方式で読み取る原稿のページ番号（ＦＢページ）としてＲＡＭ３３に記憶される。
【００６２】
次に，図１９のフローチャートのＳ１１８の処理に移行し，ＦＢカバーが開放されたことがあるか否かを判断する（Ｓ１１８）。ＦＢカバーが開放されていなければ（Ｓ１１８：ＮＯ），開放されるまで待機する。ＦＢカバーが開放されたことがある場合には（Ｓ１１８：ＹＥＳ），読み取り対象の原稿のページ番号がＦＢページであるか否かを判断する（Ｓ３２１）。ＦＢページでない場合には（Ｓ３２１：ＮＯ），ＦＢ方式による読み取り処理をバイパスし，Ｓ１２１の処理に移行する。
【００６３】
ＦＢページである場合には（Ｓ３２１：ＹＥＳ），ＦＢガラス２４上に載置されたジャム原稿をイメージセンサ２５によって読み取る（Ｓ１１９）。その後，他にもＦＢページがあるか否かを判断する（Ｓ３２２）。他にＦＢページがあるならば（Ｓ３２２：ＹＥＳ），次の原稿をセットする旨の指示を表示する（Ｓ１６１）。そして，スタートキーが押下（Ｓ１６２）されるまで待機する。そして，スタートキーが押下された場合には（Ｓ１６２：ＹＥＳ），Ｓ１１８の処理に戻り，ＦＢカバーの開放を判断した後に，読み取り処理を再開する。
【００６４】
一方，ＡＤＦ方式での読み取りでは，まず，次の原稿があるか否かを判断する（Ｓ１２１）。すなわち，原稿トレイ２２１に原稿が残っているか否かを判断する。次の原稿がなければ（Ｓ１２１：ＮＯ），本処理を終了する。次の原稿があれば（Ｓ１２１：ＹＥＳ），その原稿の画像を読み取る（Ｓ１２２）。そして，搬送中の原稿にジャムが発生したか否かを判断する（Ｓ３２３）。ジャムが発生していなければ（Ｓ３２３：ＮＯ），Ｓ３２１の処理に戻り，残りの原稿のスキャン処理を繰り返す。ジャムが発生していれば（Ｓ３２３：ＹＥＳ），Ｓ１０８の処理（図４参照）に戻り，ジャム発生時の処理を繰り返す。
【００６５】
以上詳細に説明したように実施の形態の複合機１００では，ジャムによってＡＤＦ２２の自動搬送を中止した際，搬送再開直後に読み取る原稿を破損原稿にみなし決定（第１の形態，第２の形態）あるいはユーザによって入力されたページ番号の原稿を破損原稿に決定（第３の形態）している。そして，破損原稿モードとして，破損原稿であればＦＢ方式で読み取りを行い，破損原稿でなければＡＤＦ方式で読み取りを行う。すなわち，破損原稿をＡＤＦ２２内に搬送しない。これにより，ジャム原稿の再破損を回避することができる。また，破損原稿以外はＡＤＦ２２で読み取ることから，読み取り作業の手間は少ない。
【００６６】
また，搬送再開時には破損原稿の枚数あるいはページ番号を設定し，設定枚数分の破損原稿をＦＢ方式で読み取っている。すなわち，複数の原稿が破損したとしても，破損原稿の枚数分の適切な読み取り処理を行っている。
【００６７】
なお，本実施の形態は単なる例示にすぎず，本発明を何ら限定するものではない。したがって本発明は当然に，その要旨を逸脱しない範囲内で種々の改良，変形が可能である。例えば，複合機に限らず，複写機，スキャナ，ＦＡＸ等，画像読み取り機能を備えるものであれば適用可能である。
【００６８】
また，実施の形態では，ジャム原稿の枚数をユーザによる手動入力としているが，ジャム原稿の枚数が判別できるものであれば，自動決定してもよい。例えば，ＡＤＦ２２の搬送路２２３内に複数のセンサを配置し，ジャム発生時に搬送路２２３内に取り残された原稿枚数を取得し，その原稿枚数をジャム原稿の枚数を自動決定してもよい。
【図面の簡単な説明】
【００６９】
【図１】実施の形態にかかる複合機の外観を示す図である。
【図２】複合機の画像読取部の構成を示す断面図である。
【図３】実施の形態にかかる複合機の電気的構成を示すブロック図である。
【図４】第１の形態における複合機のスキャン処理の手順を示すフローチャート（その１）である。
【図５】第１の形態における複合機のスキャン処理の手順を示すフローチャート（その２）である。
【図６】第１の形態における複合機のスキャン処理の手順を示すフローチャート（その３）である。
【図７】第１の形態における各種設定入力受付時の表示部の表示例を示す図である。
【図８】第１の形態におけるスキャン正常動作中での表示部の表示例を示す図である。
【図９】第１の形態におけるジャム発生検出時の表示部の表示例を示す図である。
【図１０】第１の形態におけるスキャン処理再開の問い合わせ時の表示部の表示例を示す図である。
【図１１】第１の形態におけるジャム原稿枚数の問い合わせ時の表示部の表示例を示す図である。
【図１２】第１の形態における読み取りソースの選択時の表示部の表示例を示す図である。
【図１３】第１の形態におけるＦＢガラス上の原稿の入替え時の表示部の表示例を示す図である。
【図１４】第２の形態における複合機のスキャン処理の手順を示すフローチャート（その１）である。
【図１５】第２の形態における複合機のスキャン処理の手順を示すフローチャート（その２）である。
【図１６】第２の形態における読み取り済み原稿の通知時の表示部の表示例を示す図である。
【図１７】第２の形態におけるＦＢ原稿の有無の問い合わせ時の表示部の表示例を示す図である。
【図１８】第３の形態における複合機のスキャン処理の手順を示すフローチャート（その１）である。
【図１９】第３の形態における複合機のスキャン処理の手順を示すフローチャート（その２）である。
【図２０】第３の形態におけるジャム原稿のページ番号の問い合わせ時の表示部の表示例を示す図である。
【符号の説明】
【００７０】
１０    画像形成部
２０    画像読取部
２１    スキャナ部
２２    ＡＤＦ
２３    ＡＤＦガラス
２４    ＦＤガラス
２５    イメージセンサ
３０    制御装置
４０    表示部
４１    ボタン群
１００  複合機
【図１】
2010028546.tif 000003
【図２】
2010028546.tif 000004
【図３】
2010028546.tif 000005
【図４】
2010028546.tif 000006
【図５】
2010028546.tif 000007
【図６】
2010028546.tif 000008
【図７】
2010028546.tif 000009
【図８】
2010028546.tif 000010
【図９】
2010028546.tif 000011
【図１０】
2010028546.tif 000012
【図１１】
2010028546.tif 000013
【図１２】
2010028546.tif 000014
【図１３】
2010028546.tif 000015
【図１４】
2010028546.tif 000016
【図１５】
2010028546.tif 000017
【図１６】
2010028546.tif 000018
【図１７】
2010028546.tif 000019
【図１８】
2010028546.tif 000020
【図１９】
2010028546.tif 000021
【図２０】
2010028546.tif 000022